(57)【要約】      （修正有）【課題】雪庇防止機能、経済性、耐久性に優れるバランスの良い雪庇防止製品を提供する。【解決手段】難錆の軽金属を用いて成形した断面略台形のパネル本体部１０と、このパネル本体部１０の内部に設けた連結補強部２０とからなる。パネル本体部１０は、縦方向長寸である外側板材１１と、縦方向短寸である内側板材１２と、外側板材１１および内側板材１２の上下端縁を連絡する上部傾斜板１４と下部傾斜板とを備え、連結補強部２０は、内側板材の裏面に配した断面略コ字状のナット格納部２１と、このナット格納部の背板から外側板材に連結させた水平フランジ材２４とによって構成する。上部傾斜板１４に、外方に突出する延設傾斜板を設ける場合がある。【選択図】図３
0003177406.tif 000002
【実用新案登録請求の範囲】
【請求項１】
難錆の軽金属を用いて成形した断面略台形のパネル本体部と、
このパネル本体部の内部に設けた連結補強部とからなり、
前記パネル本体部は、
縦方向長寸である外側板材と、
縦方向短寸である内側板材と、
前記外側板材および内側板材の上下端縁を連絡する上部傾斜板と下部傾斜板とを備え、
前記連結補強部は、
前記内側板材の裏面に配した断面略コ字状のナット格納部と、
このナット格納部の背板から前記外側板材に連結させた水平フランジ材とによって構成することを特徴とする雪庇防止パネル。
【請求項２】
上部傾斜板に、外側板材より外方に突出する延設傾斜板を設けることを特徴とする請求項１記載の雪庇防止パネル。
【請求項３】
延設傾斜板は、上部傾斜板と一体成形したものであることを特徴とする請求項２記載の雪庇防止パネル。
【考案の詳細な説明】
【技術分野】
【０００１】
本考案は、建築物のパラペットに生ずる雪庇を防止するための技術に係り、とくにアルミニウム等の軽金属を用いた雪庇防止パネルの構造に関する。
【背景技術】
【０００２】
図４に示すように、低層階ビルディングや無落雪住宅のように、屋上の端縁部にパラペット１を設けた場合やフラットな屋根（平屋根；陸屋根）には、冬季の積雪で屋根の端縁部に雪庇Ｓができる。雪庇Ｓは、降雪とともに成長し、大きな雪の塊となって屋根の端縁部から外側に突出し、重量が限界を超えると落下する。雪庇Ｓによる被害は少なくない。歩行中の人間に対する被害も起きるし、隣接する家屋の屋根や窓ガラスに損害を与える等である。
【０００３】
雪庇Ｓを防ぐための技術は、従来から提案されている。例えば、パラペット１の端縁部に電熱線（発熱体）を配するもの（特許文献１）、パラペット１に設けたワイヤをタイマによって上下駆動するもの（特許文献２）等である。しかしながら、電気的に駆動する雪庇防止装置は故障も発生しやすく、メンテナンスも必要になるため、実用上は種々の問題をもつ。このため、電気的な駆動を行わない雪庇防止構造体が提案されるようになった。例えば、特許文献３である。これは、屋根（木造平屋根）の端縁に金網材（ネット）を設けるものである。金網材は、雪の塊を切断して成長を阻止するので雪庇が出来ない。
【先行技術文献】
【特許文献】
【０００４】
【特許文献１】特開平１１−１５９０８８号
【特許文献２】特開２００２−２０６３５４号
【特許文献３】特開２００３−１６１０５３号
【考案の開示】
【考案が解決しようとする課題】
【０００５】
問題は、雪庇防止機能、経済性、耐久性のバランスである。
【０００６】
例えば、パラペットに電熱線を配する特許文献１の技術は、設置当初は効果があっても、厳しい寒冷条件で発熱を繰り返すと回路切断等、発熱体が破損する可能性がある。また多くの電力を要するので経済性にも難点がある。
【０００７】
パラペットに設けたワイヤを上下駆動する特許文献２は、装置が安定して作動するならば効果があるが、降雪寒冷地では頻繁にメンテナンスを行わないと、ワイヤの駆動系が破損する可能性が高い。ワイヤ破断時の事故の可能性もある。
【０００８】
金網材を用いるもの（特許文献３）は、金網材が頑丈であれば問題はない。しかし、金網に用いる金属線が脆弱である場合は、降雪、紫外線、厳しい寒暖差に起因して経年劣化が進行しやすく、金網に破損が生ずる可能性がある。
【０００９】
そこで、本考案の目的は、雪庇防止機能、経済性、耐久性に優れるバランスの良い雪庇防止製品を提供することにある。
【課題を解決するための手段】
【００１０】
前記目的を達成するため、本考案に係る雪庇防止パネルは、難錆の軽金属を用いて成形した断面略台形のパネル本体部と、このパネル本体部の内部に設けた連結補強部とからなり、前記パネル本体部は、縦方向長寸である外側板材と、縦方向短寸である内側板材と、前記外側板材および内側板材の上下端縁を連絡する上部傾斜板と下部傾斜板とを備え、前記連結補強部は、前記内側板材の裏面に配した断面略コ字状のナット格納部と、このナット格納部の背板から前記外側板材に連結させた水平フランジ材とによって構成する（請求項１）。
【００１１】
この雪庇防止パネルは、難錆の軽金属を用いて成形した断面略台形状のパネル本体部の内部に連結補強部を設けるものであるから、従来の金網材に較べて作りが頑丈となり、寒暖に起因する破損もなく、風雪による発錆も生じ難い。このためメンテナンスコストも最小限に抑えることが可能であり、電気的な作動装置を用いないので経済性も良い。
【００１２】
この雪庇防止パネルは、パラペット上に立設する支柱を介して上下に複数段配設することが出来る。
【００１３】
上部傾斜板に、外側板材より外方に突出する延設傾斜板を設ける場合がある（請求項２）。
【００１４】
雪庇は、建築物のパラペット周辺に降雪が吹き溜まることによって発生する。請求項１に係る雪庇防止パネルは、パラペット上に配したときに壁面となって、雪の吹きだまりの形成を防止するが、最上段の雪庇防止パネルに延設傾斜板を設けると、パラペット周辺の風が当該延設傾斜板に沿って上昇して流れ、建築物の外側に降雪を吹き流す。このため、雪の吹きだまり（雪庇）はさらに発生しにくくなる。
【００１５】
延設傾斜板は、上部傾斜板と一体成形する場合がある（請求項３）。
【００１６】
延設傾斜板は、上部傾斜板の上面にネジ止め固定しても良いが、上部傾斜板と一体成形すれば、ネジの緩みによるがたつきや破損の可能性を低減できる。なお、延設傾斜板の傾斜角度は、上部傾斜板の傾斜角度と同一とすることが望ましいが、上部傾斜板の傾斜角度と異なる傾斜角度をもって配設しても良い。延設傾斜板は、風の流れによって降雪を建築物の外側に吹き飛ばす機能を営むものであるから、傾斜角度は上部傾斜板の傾斜角度と同一とする必要はないからである。
【考案の効果】
【００１７】
本考案に係る雪庇防止パネルによれば、雪庇防止機能、経済性、耐久性に優れた製品バランスの良い雪庇防止機材を市場に提供することが出来る。
【図面の簡単な説明】
【００１８】
【図１】実施形態に係る雪庇防止パネルを例示する斜視図である。
【図２】実施形態に係る雪庇防止パネルの配設例を示す断面図である。
【図３】第二の実施形態に係る雪庇防止パネルの配設例を示す断面図である。
【図４】雪庇を例示する図である。
【考案を実施するための形態】
【００１９】
図１は、本考案に係る雪庇防止パネルを示すものである。この雪庇防止パネルＰは、難錆の軽金属、例えばアルミ系金属を用いて成形した断面略台形のパネル本体部１０と、このパネル本体部１０の内部に設けた連結補強部２０とからなる。これらは、押出成形によって一体成形することが望ましい。押出成形した場合、板材各部（１０、２０）の表面は略平滑となる。１８は、貫通ボルトを挿通させるボルト孔である。
【００２０】
パネル本体部１０は、縦方向長寸である外側板材１１と、縦方向短寸である内側板材１２と、外側板材１１および内側板材１２の上下端縁を連絡する上部傾斜板１４と下部傾斜板１５とを備える。
【００２１】
上部傾斜板１４および下部傾斜板１５の傾斜角度は、例えば、水平面に対して３０〜５０度とすることが出来る。より好ましくは４０〜５０度、さらに好ましくは４５度に設定する。傾斜角度を３０〜５０度に設定したときには、下から上に向かって吹き上がる風によって降雪を効率よく吹き飛ばすことが出来る。
【００２２】
連結補強部２０は、内側板材１２の裏面に配した断面略コ字状のナット格納部２１と、このナット格納部２１の背板２２から外側板材１１に連結させた水平フランジ材２４とによって構成する。
【００２３】
押出成形する場合、連結補強部２０は、パネル本体部１０の長手方向に沿って延設される。
【００２４】
ナット格納部２１は、上板材、下板材、背板によって断面略コ字状に成形してあり、その開口側を内側板材１２に向けて配する。上板材と下板材の上下寸法（離隔寸法）は、ナット（例えば六角ナット）の上下寸法に対応させる。貫通ボルトの締め固定時にナットの回動を防止するためである。
【００２５】
水平フランジ材２４は、ナット格納部２１の背板２２の外側から延設して外側板材１１の内側に連結させる。押出成形する場合、背板２２、水平フランジ２４、外側板材１１は一体に成形される。
【００２６】
内側板材１２に設けるボルト孔１８は、ナット格納部２１の開口略中央部に位置させつつ適宜箇所に穿設する。
【００２７】
パネル本体部１０の左右両端部には、開口を塞ぐ蓋体１９を配設する。
【００２８】
かかる雪庇防止パネルＰは、建築物の屋上の外周部、例えば図２に示すように建築物のパラペット３０の上に立設する。図２は、上下方向に複数段、例えば二段に雪庇防止パネルを配設する例を示してある。
【００２９】
３１は、雪庇防止パネルＰを取り付けるための支柱、３２は、当該支柱３１を固定するためのベースポストである。３４は、防水パッキン、３５は、適宜素材、例えばアルミ系金属で成形した防水押えである。ベースポスト３２は、適宜素材、例えばアルミ系金属によって成形でき、適宜素材、例えば樹脂系アンカー材（図示せず）を介してパラペット３０の上に固定することが出来る。
【００３０】
支柱３１は、適宜素材、例えばアルミ系金属によって成形した角パイプ材を使用することが望ましい。紫外線による劣化や風雪による発錆を抑えて、設備寿命を長期的に保証できるからである。
【００３１】
３７は、前記ナット格納部２１に配したナット（例えば六角ナット）、３８は、支柱３１を貫いて当該ナット３７に先端部を螺合させた貫通ボルト、３９は、この貫通ボルト３８の基端部を締めるナットである。
【００３２】
かかる構成によれば、支柱３１を介して任意数の雪庇防止パネルＰをパラペット３０上に取り付けることが出来る。雪庇防止パネルＰは、難錆の軽金属を用いて断面形状略台形状に成形してあるので、樹脂材や金属線を用いた場合に較べて紫外線による劣化、寒暖差や風雪に起因する劣化が生じ難く、雪による圧迫にも耐える剛性強度を備える。
【００３３】
また、傾斜角度をもった上部傾斜板１４を備えるので、下から上に向かって吹き上がる風の流れをスムーズにして雪庇の発生を確実に防止する。下部傾斜板１５は風の逃げ道を作る。
【００３４】
パネル本体部１０の内部に連結補強部２０を備えるので、使用する板材の肉厚を軽減しても、雪の重みによる外力に抗する機能性に優れ、製品コストを抑えることが可能である。以上のように、機能性、経済性、耐久性のバランスがとれたこの雪庇防止パネルＰは、優れた実用価値をもつ。
【００３５】
図３は、本考案の第二の実施形態を示すものである。これは、上部傾斜板１４に、外側板材１１より外方に突出する延設傾斜板４０を設けるものである。延設傾斜板４０は、上部傾斜板１４の上面長手方向に沿って連続的に設けることが望ましい。
【００３６】
延設傾斜板４０は、上部傾斜板１４と一体成形することが望ましい。もちろんネジ止め等によって、延設傾斜板４０を上部傾斜板１４を取り付けても良い。
【００３７】
延設傾斜板４０の傾斜角度θは、上部傾斜板１４と同様、例えば、水平面に対して３０〜５０度とすることが出来る。より好ましくは４０〜５０度、さらに好ましくは４５度に設定する。
【００３８】
延設傾斜板４０は、難錆の軽金属、例えばアルミ軽金属を用いた平板とすることが望ましい。寒暖差、雨雪、紫外線による影響を受けにくく、軽量なので建築物に与える荷重負荷も少なくて済むからである。
【００３９】
延設傾斜板４０の幅寸法は、例えば８０〜１２０ｍｍ程度とすることが望ましい。
【００４０】
パネル本体部１０を構成する板材が肉薄である場合、延設傾斜板４０の板材肉厚は若干大きく設計することが望ましい。無風のときに降雪が積もることもあるので強度を高めることが望ましいからである。例えば、パネル本体部１０を構成する板材の肉厚を２ｍｍとした場合、延設傾斜板４０の板材肉厚は３ｍｍとする等である。パネル本体部１０の板材肉厚が３ｍｍ程度であれば、延設傾斜板４０も同一肉厚として成形しても構わない。
【００４１】
かかる延設傾斜板４０を、上部傾斜板１４の上面に沿って設ければ、パラペット周辺の風を延設傾斜板４０に沿って上昇させ、建築物の外側に降雪を効率よく吹き飛ばすことが出来る。
【００４２】
なお、パネル本体部１０を支柱３１に固定する際、適宜のスペーサをパネル本体部１０と支柱３１との間に介在させても良い。
【符号の説明】
【００４３】
１０  パネル本体部
１１  外側板材
１２  内側板材
１４  上部傾斜板
１５  下部傾斜板
１８  ボルト孔
１９  蓋体
２０  連結補強部
２１  ナット格納部
２２  背板
２４  水平フランジ材
３０  パラペット
３１  支柱
３２  ベースポスト
３４  防水パッキン
３５  防水押え
３７、３９  ナット
３８  貫通ボルト
４０  延設傾斜板
Ｐ  雪庇防止パネル
θ  傾斜角度
【図１】
0003177406.tif 000003
【図２】
0003177406.tif 000004
【図３】
0003177406.tif 000005
【図４】
0003177406.tif 000006